(57)【要約】【課題】送信電波の送信特性を確保しつつ、意匠性を向上する。【解決手段】開口形状のスリット１４が形成された導電性部材１０ａを有する筐体１０を備え、導電性部材１０ａは、スリット１４の周縁部に設けられた第１、第２の給電点１００ａ、１００ｂを介して給電され、電波を送出するアンテナとして機能するようになっている。【選択図】図２
2014230129.tif 000002
【特許請求の範囲】
【請求項１】
車両（２）に搭載された車両装備を制御する車載器（３）に、前記制御のための電波を送信する携帯型送信機であって、
開口形状のスリット（１４）が形成された導電性部材（１０ａ）を有する筐体（１０）を備え、
前記導電性部材は、前記スリットの周縁部に設けられた第１、第２の給電点（１００ａ、１００ｂ）を介して給電され、前記電波を送出するアンテナとして機能することを特徴とする携帯型送信機。
【請求項２】
前記筐体の全体が前記導電性部材により構成されていることを特徴とする請求項１に記載の携帯型送信機。
【請求項３】
前記筐体の一部に前記導電性部材が設けられていることを特徴とする１または２に記載の携帯型送信機。
【請求項４】
前記筐体１０の長手方向の一端面に前記スリットが設けられていることを特徴とする請求項１または２に記載の携帯型送信機。
【発明の詳細な説明】
【技術分野】
【０００１】
本発明は、車両に搭載された車両装備を制御する車載器に、制御のための電波を送信する携帯型送信機に関するものである。
【背景技術】
【０００２】
従来、電波を送信するアンテナとして、細幅状導体により開放端がない複数個のスリットを形成し、該細幅状導体部分に単一の給電点を設け、この給電点に同軸ケーブルの内部導体を接続し、グランド板上のアースポイントには該同軸ケーブルの外部導体を接続し、広帯域エレメントとグランド板とを電気的に非接続状態とするようにしたものがある（例えば、特許文献１参照）。
【先行技術文献】
【特許文献】
【０００３】
【特許文献１】特開２００６−１４２６５号公報
【発明の概要】
【発明が解決しようとする課題】
【０００４】
ところで、車両においては、所謂、スマートキーやリモートキー等の携帯機を用いて車両のドアの施錠および解錠を制御する車両ドア施錠解錠システムが広く普及している。このような車両ドア施錠解錠システムの携帯機においては、例えば、プリント基板上に形成されたパターンアンテナなど、携帯機のケース内に配置されたアンテナを介してＵＨＦ帯の送信信号が送信されるようになっている。
【０００５】
このような構成の携帯機において、意匠性を向上させるため、携帯機のケースに加飾として金属部材を付加したり、携帯機のケースを囲むように加飾として金属部材を付加したりすることが考えられる。
【０００６】
しかし、このような金属部材を携帯機のケースに付加した場合、この金属部材により携帯機のケース内に配置されたアンテナから外部へ送信される送信電波が遮蔽されてしまうため、送信電波の送信特性が著しく低下するという問題が生じる。このため、携帯機に付加する金属部材をケースの一部に制限する等の制約が発生してしまう。
【０００７】
本発明は上記問題に鑑みたもので、送信電波の送信特性を確保しつつ、意匠性を向上することを目的とする。
【課題を解決するための手段】
【０００８】
上記目的を達成するため、請求項１に記載の発明は、車両（２）に搭載された車両装備を制御する車載器（３）に、制御のための電波を送信する携帯型送信機であって、開口形状のスリット（１４）が形成された導電性部材（１０ａ）を有する筐体（１０）を備え、導電性部材は、スリットの周縁部に設けられた第１、第２の給電点（１００ａ、１００ｂ）を介して給電され、電波を送出するアンテナとして機能することを特徴としている。
【０００９】
このような構成によれば、開口形状のスリット（１４）が形成された導電性部材（１０ａ）を有する筐体（１０）を備え、導電性部材は、スリットの周縁部に設けられた第１、第２の給電点（１００ａ、１００ｂ）を介して給電され、電波を送出するアンテナとして機能するので、送信電波の送信特性を確保しつつ、意匠性を向上することができる。
【００１０】
なお、この欄および特許請求の範囲で記載した各手段の括弧内の符号は、後述する実施形態に記載の具体的手段との対応関係を示すものである。
【図面の簡単な説明】
【００１１】
【図１】本発明の一実施形態に係る携帯型送信機の外観図である。
【図２】本発明の一実施形態に係る携帯型送信機の分解斜視図である。
【図３】本携帯型送信機の整合回路の構成を示す図である。
【図４】第１、第２の給電点の位置について説明するための図である。
【図５】スリットアンテナの反射係数の周波数特性例である。
【図６】変形例について示した図である。
【発明を実施するための形態】
【００１２】
本発明の一実施形態に係る携帯型送信機の外観図を図１に示す。また、本携帯型送信機の分解斜視図を図２に示す。本携帯型送信機１は、電波を送信するリモートキーと、このリモートキーからの電波を受信して車両２のドア（車両装備に相当する）の施錠制御および解錠制御を実行する車載器３から成る車両ドア施錠解錠システムのリモートキーとして用いられる。
【００１３】
本携帯型送信機１は、開口形状のスリット１４が形成された導電性部材１０ａを有する筐体１０を備えている。なお、本実施形態における携帯型送信機１は、筐体１０の全体が導電性部材１０ａにより構成されている。図２に示すように、筐体１０は、いずれも金属（例えば、アルミニウム）製の下部筐体１１と上部筐体１２から成る。下部筐体１１および上部筐体１２を嵌合することにより、下部筐体１１および上部筐体１２は電気的に接続されるようになっている。
【００１４】
筐体１０内には、後述する整合回路や電池収納部等が搭載されたプリント基板１３が格納される。このプリント基板１３には、第１の給電プローブ１３ａおよび第２の給電プローブ１３ｂが実装されている。
【００１５】
図２に示すように、下部筐体１０ａおよび上部筐体１０ｂを嵌合すると、上部筐体１０ｂの内面側（図面下側）のスリット１４の周縁部に設けられた第１の給電点１００ａと第１の給電プローブ１３ａが電気的に接続されるとともに、スリット１４の周縁部に設けられた第２の給電点１００ｂと第２の給電プローブ１３ｂが電気的に接続されるようになっている。
【００１６】
本携帯型送信機１において、スリット１４が形成された導電性部材１０ａは、スリット１４の周縁部に設けられた第１、第２の給電点１００ａ、１００ｂを介して給電され、ＵＨＦ帯（例えば、４００メガヘルツ帯）の電波を送出するスリットアンテナとして機能する。
【００１７】
図３に、本携帯型送信機１の整合回路２１の構成を示す。整合回路２１は、コンデンサ２１ａおよびコンデンサ２１ｂを備えている。コンデンサ２１ａは給電プローブ１３ａを介して導電性部材１０ａと直列に接続され、コンデンサ２１ｂは給電プローブ１３ｂを介して導電性部材１０ａと並列に接続されている。
【００１８】
このような整合回路２１をスリット１４が形成された導電性部材１０ａに接続して、導電性部材１０ａを共振させて電波を送信させるようになっている。
【００１９】
このような構成において、図示しない操作ボタンが操作されると、整合回路２１により導電性部材１０ａが共振し、導電性部材１０ａから車両２のドアの施錠制御または解錠制御を指示するための電波が送信されるようになっている。
【００２０】
次に、図４を参照して第１、第２の給電点１００ａ、１００ｂの位置について説明する。スリットアンテナにおいて、スリット１４の長手方向の両端は電流がよく流れ、スリット１４の長手方向の中央部は電流が少なくなるという特性を有している。すなわち、スリット１４の長手方向の両端の近くはインピーダンスが小さく、スリット１４の長手方向の中央部はインピーダンスが大きくなるという特性を有している。
【００２１】
スリットアンテナにおいては、矩形形状のスリット１４を挟んで対向する位置に第１、第２の給電点１００ａ、１００ｂが設けられる。また、スリットアンテナにおいて、スリット１４の周縁部に最適な給電位置が存在する。例えば、５０オームで整合させる場合、スリット１４の周縁部で、５０オームとなる位置が最適な給電位置となる。
【００２２】
なお、本携帯型送信機１より送信される７００メガヘルツ帯の電波の波長は７５センチメートル程度となっている。しかし、本携帯型送信機１は、ユーザにより所持されるものであり、導電性部材１０ａの面積を十分に広くしたり、スリット１４の長さＬｓを十分に長くすることができない。このため、本携帯型送信機１においては、比較的効率が低く、また、スリット１４の周縁部のインピーダンスが全体的に大きくなっている。
【００２３】
したがって、本携帯型送信機１においては、インピーダンスが小さくなるスリット１４の端部の近くで、かつ、整合のとれる位置に第１、第２の給電点１００ａ、１００ｂが設けられる。
【００２４】
また、スリット１４の長さＬｓは、導電性部材１０ａが共振しやすく、効率が最大となるような長さとなっている。
【００２５】
図５に、筐体１０の全体を導電性部材１０ａにより構成したスリットアンテナの反射係数Ｓ１１の周波数特性例を示す。第１、第２の給電点１００ａ、１００ｂを最適な位置に設けることで、４３０メガヘルツ帯で、反射係数Ｓ１１が−３８ｄＢ程度となるスリットアンテナを構成することができる。
【００２６】
上記した構成によれば、開口形状のスリット（１４）が形成された導電性部材（１０ａ）を有する筐体（１０）を備え、導電性部材は、スリットの周縁部に設けられた第１、第２の給電点（１００ａ、１００ｂ）を介して給電され、電波を送出するアンテナとして機能するので、送信電波の送信特性を確保しつつ、意匠性を向上することができる。
【００２７】
なお、本発明は上記実施形態に限定されるものではなく、本発明の趣旨に基づいて種々なる形態で実施することができる。
【００２８】
例えば、上記実施形態では、筐体１０の全体を導電性部材１０ａにより構成した例を示したが、筐体１０の一部に導電性部材１０ａを設けた構成としてもよい。例えば、筐体１０の長手方向の一端面側など、筐体１０の一部に導電性部材１０ａを設けた構成としてもよい。
【００２９】
また、図６に示すように、筐体１０の長手方向の一端面にスリット１４を設けるように構成してもよい。ユーザが携帯型送信機１を手に持ったときに、ユーザの手がスリット１４に触れてしまうと送信特性が変化してしまう可能性があるが、筐体１０の長手方向の一端面にスリット１４を設けることで、ユーザが携帯型送信機１を手に持ったときにスリット１４に触れにくくすることができ、送信特性が変化しないようにすることが可能である。
【００３０】
また、上記実施形態では、直方体のような形状の筐体１０を備えた例を示したが、上記したような形状の筐体に限定されるものではない。
【符号の説明】
【００３１】
１              携帯型送信機
１０            筐体
１０ａ          導電性部材
１１            下部筐体
１２            上部筐体
１３ａ、１３ｂ  給電プローブ
１４            スリット
２１            整合回路
【図１】
2014230129.tif 000003
【図２】
2014230129.tif 000004
【図３】
2014230129.tif 000005
【図４】
2014230129.tif 000006
【図５】
2014230129.tif 000007
【図６】
2014230129.tif 000008